【手続補正書】
【提出日】平成27年10月1日(2015.10.1)
【手続補正１】
【補正対象書類名】特許請求の範囲
【補正対象項目名】全文
【補正方法】変更
【補正の内容】
【特許請求の範囲】
【請求項１】
行方向及び列方向に沿ってマトリクス状に設けられた複数の画素を備え、
前記複数の画素の各々は、
高電位電源線及び低電位電源線間に接続された表示素子と、
前記表示素子に接続されたソース電極と、リセット配線に接続されたドレイン電極と、ゲート電極とを有した駆動トランジスタと、
映像信号線及び前記駆動トランジスタのゲート電極間に接続され、前記映像信号線を通して与えられる信号を前記駆動トランジスタのゲート電極側に取り込むかどうかを切替える画素スイッチと、
前記駆動トランジスタのソース電極及びゲート電極間に接続された保持容量と、
前記駆動トランジスタのソース電極に接続された第１電極と、前記第１電極に対向した第２電極とを有した補助容量と、を備え、
前記高電位電源線に隣合う位置に設けられた前記補助容量の前記第２電極は、前記高電位電源線と同層の配線で形成され、
前記高電位電源線に隣合う位置から外れて設けられた前記補助容量の前記第２電極は、前記リセット配線と同層の配線で形成されている表示装置。
【請求項２】
前記高電位電源線に隣合う位置に設けられた前記補助容量の前記第１電極は、前記高電位電源線の両側縁と交差し、
前記高電位電源線に隣合う位置から外れて設けられた前記補助容量の前記第１電極は、前記リセット配線の両側縁と交差している請求項１に記載の表示装置。
【請求項３】
前記高電位電源線は、前記列方向に延出した第１高電位電源線及び第２高電位電源線を有し、
前記リセット配線は、前記行方向に延出して形成され、
前記複数の画素は、前記第１高電位電源線と前記第２高電位電源線との間で前記行方向に並べられた第１画素、第２画素及び第３画素を有し、
前記第１画素における前記補助容量の前記第２電極は、前記第１高電位電源線と同層の配線で形成され、
前記第２画素における前記補助容量の前記第２電極は、前記リセット配線と同層の配線で形成され、
前記第３画素における前記補助容量の前記第２電極は、前記第２高電位電源線と同層の配線で形成されている請求項１に記載の表示装置。
【請求項４】
前記第１乃至第３画素は、第１色の画像を表示するように構成された画素、第２色の画像を表示するように構成された画素、及び第３色の画像を表示するように構成された画素である請求項３に記載の表示装置。
【請求項５】
前記高電位電源及び駆動トランジスタのドレイン電極間に接続され、前記高電位電源と駆動トランジスタのドレイン電極との間を導通状態又は非導通状態に切替える出力スイッチをさらに備え、
前記第１乃至第３画素は、前記出力スイッチを共用している請求項３に記載の表示装置。
【請求項６】
前記高電位電源線は、前記列方向に延出した第１高電位電源線及び第２高電位電源線を有し、
前記リセット配線は、前記行方向に延出して形成され、
前記複数の画素は、前記第１高電位電源線と前記第２高電位電源線との間で前記行方向に並べられた第１画素、第２画素、第３画素及び第４画素を有し、
前記第１画素における前記補助容量の前記第２電極は、前記第１高電位電源線と同層の配線で形成され、
前記第２画素における前記補助容量の前記第２電極は、前記リセット配線と同層の配線で形成され、
前記第３画素における前記補助容量の前記第２電極は、前記リセット配線と同層の配線で形成され、
前記第４画素における前記補助容量の前記第２電極は、前記第２高電位電源線と同層の配線で形成されている請求項１に記載の表示装置。
【請求項７】
前記第１乃至第４画素は、第１色の画像を表示するように構成された画素、第２色の画像を表示するように構成された画素、第３色の画像を表示するように構成された画素、及び第４色の画像を表示するように構成された画素である請求項６に記載の表示装置。
【請求項８】
前記高電位電源及び駆動トランジスタのドレイン電極間に接続され、前記高電位電源と駆動トランジスタのドレイン電極との間を導通状態又は非導通状態に切替える出力スイッチをさらに備え、
前記第１乃至第４画素は、前記出力スイッチを共用している請求項６に記載の表示装置。
【手続補正２】
【補正対象書類名】明細書
【補正対象項目名】０００８
【補正方法】変更
【補正の内容】
【０００８】
一実施形態に係る表示装置は、
行方向及び列方向に沿ってマトリクス状に設けられた複数の画素を備え、
前記複数の画素の各々は、
高電位電源線及び低電位電源線間に接続された表示素子と、
前記表示素子に接続されたソース電極と、リセット配線に接続されたドレイン電極と、ゲート電極とを有した駆動トランジスタと、
映像信号線及び前記駆動トランジスタのゲート電極間に接続され、前記映像信号線を通して与えられる信号を前記駆動トランジスタのゲート電極側に取り込むかどうかを切替える画素スイッチと、
前記駆動トランジスタのソース電極及びゲート電極間に接続された保持容量と、
前記駆動トランジスタのソース電極に接続された第１電極と、前記第１電極に対向した第２電極とを有した補助容量と、を備え、
前記高電位電源線に隣合う位置に設けられた前記補助容量の前記第２電極は、前記高電位電源線と同層の配線で形成され、
前記高電位電源線に隣合う位置から外れて設けられた前記補助容量の前記第２電極は、前記リセット配線と同層の配線で形成されている。
【手続補正３】
【補正対象書類名】明細書
【補正対象項目名】０１１８
【補正方法】変更
【補正の内容】
【０１１８】
上述した実施形態は、上記有機ＥＬ表示装置及び有機ＥＬ表示装置の駆動方法に限らず、各種の表示装置及び表示装置の駆動方法に適用することが可能である。
以下に、本願出願の当初の特許請求の範囲に記載された発明を付記する。
［１］行方向及び列方向に沿ってマトリクス状に設けられた複数の画素を備え、
前記複数の画素の各々は、
高電位電源線及び低電位電源線間に接続された表示素子と、
前記表示素子に接続されたソース電極と、リセット配線に接続されたドレイン電極と、ゲート電極とを有した駆動トランジスタと、
映像信号線及び前記駆動トランジスタのゲート電極間に接続され、前記映像信号線を通して与えられる信号を前記駆動トランジスタのゲート電極側に取り込むかどうかを切替える画素スイッチと、
前記駆動トランジスタのソース電極及びゲート電極間に接続された保持容量と、
前記駆動トランジスタのソース電極に接続された第１電極と、前記第１電極に対向した第２電極とを有した補助容量と、を備え、
前記高電位電源線に隣合う位置に設けられた前記画素の前記第２電極は、前記高電位電源線で形成され、
前記高電位電源線に隣合う位置から外れて設けられた前記画素の前記第２電極は、前記リセット配線で形成されている表示装置。
［２］前記高電位電源線に隣合う位置に設けられた前記画素の前記第１電極は、前記高電位電源線の両側縁と交差し、
前記高電位電源線に隣合う位置から外れて設けられた前記画素の前記第１電極は、前記リセット配線の両側縁と交差している［１］に記載の表示装置。
［３］前記高電位電源線は、前記列方向に延出した第１高電位電源線及び第２高電位電源線を有し、
前記リセット配線は、前記行方向に延出して形成され、
前記複数の画素は、前記第１高電位電源線と前記第２高電位電源線との間で前記行方向に並べられた第１画素、第２画素及び第３画素を有し、
前記第１画素の前記第２電極は、前記第１高電位電源線で形成され、
前記第２画素の前記第２電極は、前記リセット配線で形成され、
前記第３画素の前記第２電極は、前記第２高電位電源線で形成されている［１］に記載の表示装置。
［４］前記第１乃至第３画素は、赤色の画像を表示するように構成された画素、緑色の画像を表示するように構成された画素、及び青色の画像を表示するように構成された画素である［３］に記載の表示装置。
［５］前記高電位電源及び駆動トランジスタのドレイン電極間に接続され、前記高電位電源及び駆動トランジスタのドレイン電極間を導通状態又は非導通状態に切替える出力スイッチをさらに備え、
前記第１乃至第３画素は、前記出力スイッチを共用している［３］に記載の表示装置。
［６］前記高電位電源線は、前記列方向に延出した第１高電位電源線及び第２高電位電源線を有し、
前記リセット配線は、前記行方向に延出して形成され、
前記複数の画素は、前記第１高電位電源線と前記第２高電位電源線との間で前記行方向に並べられた第１画素、第２画素、第３画素及び第４画素を有し、
前記第１画素の前記第２電極は、前記第１高電位電源線で形成され、
前記第２画素の前記第２電極は、前記リセット配線で形成され、
前記第３画素の前記第２電極は、前記リセット配線で形成され、
前記第４画素の前記第２電極は、前記第２高電位電源線で形成されている［１］に記載の表示装置。
［７］前記第１乃至第４画素は、赤色の画像を表示するように構成された画素、緑色の画像を表示するように構成された画素、青色の画像を表示するように構成された画素、及び無彩色の画像を表示するように構成された画素である［６］に記載の表示装置。
［８］前記高電位電源及び駆動トランジスタのドレイン電極間に接続され、前記高電位電源及び駆動トランジスタのドレイン電極間を導通状態又は非導通状態に切替える出力スイッチをさらに備え、
前記第１乃至第４画素は、前記出力スイッチを共用している［６］に記載の表示装置。